【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
複数の折り畳み可能で押し潰し可能な窓用シェードを製作する方法であって、各シェードが、細長い柔軟な材料の連続的に移動する幅狭の条片から切断され続いてそれぞれの一続きの配列を形成するために積層され１つに結合された、複数の細長いプリフォームで形成され、該方法は、
前記移動する柔軟な材料の一続きの条片の第１の部分上に着色剤を載置するステップと、
その後、移動する着色剤で被覆された条片の前記第１の部分を少なくとも１つのプリフォームの組へと切断するステップであって、各プリフォームは、色、柄、および長さの第１の組み合わせを有し、そのような各プリフォームの組は、積層され１つに結合されると、第１の顧客に指定されたシェードに実質的に対応する色と柄と高さと幅とを有する一続きの配列を形成する、移動する着色剤で被覆された条片の前記第１の部分を少なくとも１つのプリフォームの組へと切断するステップと、
その後、前記プリフォームの組を再配置し、前記再配置する期間の間に前記移動する柔軟な材料の一続きの条片を第１の流れ経路から第２の流れ経路へと進路変更し、前記移動する一続きの材料の条片を前記再配置するステップの完了後に前記第１の流れ経路に戻すステップと、
その後、前記一続きの条片の前記連続的な移動を中断することなく、第２のプリフォームの組を生み出すために前記移動する条片の第２の部分に対して前記載置するステップおよび前記切断するステップを繰り返すことであって、前記第２のプリフォームの組の各プリフォームは、前記第１の組み合わせと異なる色、柄、および長さの第２の組み合わせを有し、そのような第２のプリフォームの組は、積層され１つに結合されると、第２の顧客に指定されたシェードに実質的に対応する色と柄と高さと幅とを有する一続きの配列を形成する、前記移動する条片の第２の部分に対して前記載置するステップおよび前記切断するステップを繰り返すことと、
を備える、方法。
【請求項２】
前記進路変更するステップが、前記移動する一続きの材料の条片を廃棄物容器へと進路変更することを含む、請求項１に記載の方法。
【請求項３】
複数の折り畳み可能で押し潰し可能な窓用シェードを製作する方法であって、各シェードが、細長い柔軟な材料の連続的に移動する幅狭の条片から切断され続いてそれぞれの一続きの配列を形成するために積層され１つに結合された、複数の細長いプリフォームで形成され、該方法は、
前記移動する柔軟な材料の一続きの条片の第１の部分上に着色剤を載置するステップと、
その後、移動する着色剤で被覆された条片の前記第１の部分を少なくとも第１のプリフォームの組へと切断するステップであって、各プリフォームは、色、柄、および長さの第１の組み合わせを有し、そのような各プリフォームの組は、積層され１つに結合されると、第１の顧客に指定されたシェードに実質的に対応する色と柄と高さと幅とを有する一続きの配列を形成する、移動する着色剤で被覆された条片の前記第１の部分を少なくとも第１のプリフォームの組へと切断するステップと、
前記第１のプリフォームの組を第１の受容デバイス内に堆積させ、前記第１のプリフォームの組の再配置を開始するステップと、
前記一続きの条片の前記連続的な移動を中断することなく、第２のプリフォームの組を生み出すために前記移動する条片の第２の部分に対して前記載置するステップおよび前記切断するステップを繰り返すことであって、前記第２のプリフォームの組の各プリフォームは、前記第１の組み合わせと異なる色、柄、および長さの第２の組み合わせを有し、そのような第２のプリフォームの組は、積層され１つに結合されると、第２の顧客に指定されたシェードに実質的に対応する色と柄と高さと幅とを有する一続きの配列を形成する、前記移動する条片の第２の部分に対して前記載置するステップおよび前記切断するステップを繰り返すことと、
前記第１のプリフォームの組の前記再配置の間、前記第２のプリフォームの組を第２の受容デバイス内に堆積させるステップと、
を備える、方法。
【請求項４】
前記第１の受容デバイスと前記第２の受容デバイスとを前記プリフォームの流れ経路において交互に配置するステップをさらに備える、請求項３に記載の方法。
【請求項５】
前記第１の受容デバイスおよび前記第２の受容デバイスが互いに平行に配置され、複数の前記プリフォームが、前記第１のプリフォームの組を堆積させるために前記第１の受容デバイスの中へと側方に、および前記第２のプリフォームの組を堆積させるために前記第２の受容デバイスの中へと側方に、交互に押される、請求項３に記載の方法。
【請求項６】
前記プリフォームの流れ経路を前記第１の受容デバイスおよび前記第２の受容デバイスに即して交互に方向付けるように、前記移動する柔軟な材料の一続きの条片の流れ経路を変更するステップをさらに備える、請求項３に記載の方法。
【請求項７】
前記第２の受容デバイスが前記第１の受容デバイスの下流に配置される、請求項３に記載の方法。
【請求項８】
前記第２の受容デバイスが前記第１の受容デバイスに即して配置され、前記第１の受容デバイスおよび前記第２の受容デバイス内にプリフォームを交互に堆積させるために、停止機構が前記第１の受容デバイスと前記第２の受容デバイスとの間で選択的に適用され取り外される、請求項７に記載の方法。
【請求項９】
複数の折り畳み可能で押し潰し可能な窓用シェードを製作する方法であって、各シェードが、細長い柔軟な材料の連続的に移動する幅狭の条片から切断され続いてそれぞれの一続きの配列を形成するために積層され１つに結合された、複数の細長いプリフォームで形成され、該方法は、
前記移動する柔軟な材料の一続きの条片の第１の部分上に着色剤を載置するステップと、
その後、移動する着色剤で被覆された条片の前記第１の部分を少なくとも第１のプリフォームの組へと切断するステップであって、各プリフォームは、色、柄、および長さの第１の組み合わせを有し、そのような各プリフォームの組は、積層され１つに結合されると、第１の顧客に指定されたシェードに実質的に対応する色と柄と高さと幅とを有する一続きの配列を形成する、移動する着色剤で被覆された条片の前記第１の部分を少なくとも第１のプリフォームの組へと切断するステップと、
第２のプリフォームの組を生み出すために前記移動する条片の第２の部分に対して前記載置するステップを繰り返すことであって、前記第２のプリフォームの組の各プリフォームは、前記第１の組み合わせと異なる色、柄、および長さの第２の組み合わせを有し、そのような第２のプリフォームの組は、積層され１つに結合されると、第２の顧客に指定されたシェードに実質的に対応する色と柄と高さと幅とを有する一続きの配列を形成する、前記移動する条片の第２の部分に対して前記載置するステップを繰り返すことと、
前記第１のプリフォームの組を再配置し、前記再配置する期間の間に、前記切断するステップを一時的に停止し前記移動する柔軟な材料の一続きの条片を前記再配置するステップの完了まで堆積させるステップと、
を備える、方法。
【請求項１０】
前記堆積させるステップが、前記移動する条片の経路を徐々に長くすることを備える、請求項９に記載の方法。
【請求項１１】
前記経路が、スロット内に互いに離して装着されるローラを徐々に移動させることによって徐々に長くされる、請求項１０に記載の方法。
【請求項１２】
複数の折り畳み可能で押し潰し可能な窓用シェードを製作する方法であって、各シェードが、細長い柔軟な材料の連続的に移動する幅狭の条片から切断され続いてそれぞれの一続きの配列を形成するために積層され１つに結合された、複数の細長いプリフォームで形成され、該方法は、
前記移動する柔軟な材料の一続きの条片の第１の部分上に着色剤を載置するステップと、
その後、移動する着色剤で被覆された条片の前記第１の部分を少なくとも第１のプリフォームの組へと切断するステップであって、各プリフォームは、色、柄、および長さの第１の組み合わせを有し、そのような各プリフォームの組は、積層され１つに結合されると、第１の顧客に指定されたシェードに実質的に対応する色と柄と高さと幅とを有する一続きの配列を形成する、移動する着色剤で被覆された条片の前記第１の部分を少なくとも第１のプリフォームの組へと切断するステップと、
前記第１のプリフォームの組を受容デバイス内で受容するステップと、
前記第１のプリフォームの組を再配置するために、前記第１のプリフォームの組を把持し、前記第１のプリフォームの組を前記受容デバイスから引っ張るステップと、
前記一続きの条片の前記連続的な移動を中断することなく、第２のプリフォームの組を生み出すために前記移動する条片の第２の部分に対して前記載置するステップを繰り返すことであって、前記第２のプリフォームの組の各プリフォームは、前記第１の組み合わせと異なる色、柄、および長さの第２の組み合わせを有し、そのような第２のプリフォームの組は、積層され１つに結合されると、第２の顧客に指定されたシェードに実質的に対応する色と柄と高さと幅とを有する一続きの配列を形成する、前記移動する条片の第２の部分に対して前記載置するステップを繰り返すことと、
を備える、方法。
【請求項１３】
複数の折り畳み可能で押し潰し可能な窓用シェードを製作する方法であって、各シェードが、細長い柔軟な材料の連続的に移動する幅狭の条片から切断され続いてそれぞれの一続きの配列を形成するために積層され１つに結合された、複数の細長いプリフォームで形成され、該方法は、
前記移動する条片の第１の部分を少なくとも第１のプリフォームの組へと切断するステップであって、前記少なくとも１つのプリフォームの組が、積層され１つに結合されると、第１の顧客に指定されたシェードに実質的に対応する一続きの配列を形成するように切断するステップと、
前記第１のプリフォームの組を第１の受容デバイス内に堆積させ、前記第１のプリフォームの組の再配置を開始するステップと、
前記一続きの条片の前記連続的な移動を中断することなく、第２のプリフォームの組を生み出すために前記移動する条片の第２の部分に対して前記切断するステップを繰り返すことであって、前記第２のプリフォームの組の各プリフォームは、積層され１つに結合されると、第２の顧客に指定されたシェードに実質的に対応する一続きの配列を形成するように、前記移動する条片の第２の部分に対して前記切断するステップを繰り返すことと、
前記第１のプリフォームの組の前記再配置の間、流れ経路を変更することによって、前記第２のプリフォームの組を第２の受容デバイス内に堆積させるステップと、
を備える、方法。
【請求項１４】
前記第１の受容デバイスおよび前記第２の受容デバイスが互いに平行に配置され、複数の前記プリフォームが、前記第１のプリフォームの組を堆積させるために前記第１の受容デバイスの中へと側方に、および前記第２のプリフォームの組を堆積させるために前記第２の受容デバイスの中へと側方に、交互に押される、請求項１３に記載の方法。
【請求項１５】
前記プリフォームの前記流れ経路を変更することは、前記第１の受容デバイスおよび前記第２の受容デバイスに即して前記プリフォームの前記流れ経路を交互に方向付けることを含む、請求項１３に記載の方法。
【請求項１６】
前記第２の受容デバイスが前記第１の受容デバイスの下流に配置される、請求項１３に記載の方法。
【請求項１７】
前記第２の受容デバイスが前記第１の受容デバイスに即して配置され、前記第１の受容デバイスおよび前記第２の受容デバイス内にプリフォームを交互に堆積させるために、停止機構が前記第１の受容デバイスと前記第２の受容デバイスとの間で選択的に適用され取り外される、請求項１６に記載の方法。
【請求項１８】
第１の受容デバイスおよび前記第２の受容デバイスの各々は、前記プリフォームが積層される堆積装置シュートと、前記プリフォームの積層体が堆積されている間、前記プリフォームの積層体の高さを調整する上昇装置バーと、を含む受容装置組立体である、請求項１３ないし１６のいずれか１項に記載の方法。
【請求項１９】
前記第１の受容デバイスおよび前記第２の受容デバイスの各々は、プリフォームを運送する受容ベルトを備え、前記堆積装置シュートは、前記受容ベルトから前記プリフォームを受容する、請求項１８に記載の方法。
【請求項２０】
前記第１の受容デバイスおよび前記第２の受容デバイスは固定的なものである、請求項１４に記載の方法。
【請求項２１】
前記第１の受容デバイスおよび前記第２の受容デバイスは、前記一続きの条片の前記連続的な移動を中断することなく、前記一続きの条片の前記流れ経路に対し選択的に再配置されるように構成されている、請求項１４に記載の方法。
【請求項２２】
複数の折り畳み可能で押し潰し可能な窓用シェードを製作する方法であって、各シェードが、細長い柔軟な材料の連続的に移動する幅狭の条片から切断され続いてそれぞれの一続きの配列を形成するために積層され１つに結合された、複数の細長いプリフォームで形成され、該方法は、
複数のプリフォームを形成するために、条片形成装置を通して細長い柔軟な材料の条片を移動させるステップであって、複数のプリフォームが、前記プリフォームから形成されるべきシェードの幅によって決定される長さを含む顧客のシェードの特性を有する、細長い柔軟な材料の条片を移動させるステップと、
前記プリフォームの組を第１の位置にある第１の受容デバイス内に堆積させ、顧客のシェードを形成するのに必要な数のプリフォームが一旦堆積されたら、前記プリフォームの組の再配置を開始するステップと、
前記第１の受容デバイス内に堆積された前記プリフォームの組を再配置する間、前記第１の位置とは異なる第２の位置にある第２の受容デバイス内に他のプリフォームの組を形成し堆積するステップと、
顧客のシェードを形成するのに必要な数のプリフォームが一旦そこに堆積されたら、前記第２の受容デバイス内の前記プリフォームの組の再配置を開始するステップと、
各プリフォームの組の再配置が完了する際、一続きの条片の前記連続的な移動を中断することなく、前記第１の受容デバイスおよび第２の受容デバイスの交互でプリフォームの組を形成し、堆積させ続けるステップと、
を備える、方法。